(57)【要約】【課題】ドアにおける通気性を確保して建築基準法に良好に適応することができるドアを提供する。【解決手段】ドアは、一方の空間Ｋ１に対面する第１ドア表面１ａと他方の空間Ｋ２に対面する第２ドア表面１ｂとドア底面１ｃとドア底面１ｃに背向するドア上面１ｕとを有するドア本体１ｄを備えている。ドア本体１ｄは、一方の空間Ｋ１と他方の空間Ｋ２とを連通する通気孔２０を有する。第１ドア表面１ａ及び第２ドア表面１ｂのうち少なくとも一方において、通気孔２０の入口又は出口を構成する少なくとも２個の開口２１，２２を有する。【選択図】図４
2005207107.tif 000002
【特許請求の範囲】
【請求項１】
一方の空間に対面する第１ドア表面と他方の空間に対面する第２ドア表面とドア底面と前記ドア底面に背向するドア上面とを有するドア本体を備えたドアにおいて、
前記ドア本体は、
前記一方の空間と前記他方の空間とを連通する通気孔を有しており、
前記第１ドア表面及び前記第２ドア表面のうちの少なくとも一方において、前記通気孔の入口又は出口を構成する少なくとも２個の開口を有することを特徴とするドア。
【請求項２】
一方の空間に対面する第１ドア表面と他方の空間に対面する第２ドア表面とドア底面と前記ドア底面に背向するドア上面とを有するドア本体を備えたドアにおいて、
前記ドア本体は、前記一方の空間と前記他方の空間とを連通する通気孔を有しており、
前記第１ドア表面は、前記通気孔の入口又は出口を構成する第１開口を有しており、
前記第２ドア表面は、前記通気孔の出口又は入口を構成する第２開口を有しており、
前記第１開口及び前記第２開口のうちの一方は複数個設けられており、前記第１開口及び前記第２開口のうちの他方は当該一方に共通して連通する共通開口であることを特徴とするドア。
【請求項３】
請求項１または請求項２において、前記ドア底面は、前記通気孔に連通すると共に前記通気孔の入口又は出口を構成する底面開口を有していることを特徴とするドア。
【請求項４】
請求項１〜請求項３のうちのいずれか一項において、前記ドア本体は、前記開口に連通する空洞室を有していることを特徴とするドア。
【請求項５】
請求項１〜請求項３のうちのいずれか一項において、前記ドア本体は、前記開口の流路断面積よりも大きな流路断面積をもつ空洞室を有していることを特徴とするドア。
【請求項６】
一方の空間に対面する第１ドア表面と他方の空間に対面する第２ドア表面とドア底面と前記ドア底面に背向するドア上面とを有するドア本体を備えたドアにおいて、
前記ドア本体は、前記一方の空間と前記他方の空間とを連通する通気孔を有しており、前記一方の空間及び前記他方の空間のうちのいずれかの空間に連通すると共に前記通気孔の入口又は出口を構成する少なくとも２個の開口を有していることを特徴とするドア。
【請求項７】
請求項６において、前記通気孔は、前記開口の流路断面積よりも大きな流路断面積をもつと共に前記開口に連通する空洞室を有していることを特徴とするドア。
【請求項８】
請求項１〜請求項７のうちのいずれか一項において、前記通気孔の内壁面は、前記ドア本体の内部に設けられた吸音材料で形成された吸音材で覆われていることを特徴とするドア。
【請求項９】
請求項１〜請求項８のうちのいずれか一項において、前記ドア本体は、前記ドア底面と前記ドア底面に対向する対向面との間の隙間を前記ドア本体の閉鎖につれて閉鎖する閉鎖量を増加させ、前記隙間を介しての音の伝搬を抑えるドア底面遮音手段を有することを特徴とするドア。
【請求項１０】
請求項９において、前記ドア底面遮音手段は、前記ドア底面と前記対向面との間の隙間の開口量を調整可能な遮音部材と、前記遮音部材を作動させる作動部とを備えており、前記ドア本体の閉鎖に伴い、前記作動部は前記遮音部材を前記対向面に接触又は接近させる遮音位置に切り替えると共に、前記ドア本体の開放に伴い、前記作動部は前記遮音部材を前記対向面から遠ざけて退避させる退避位置に切り替えることを特徴とするドア。
【発明の詳細な説明】
【技術分野】
【０００１】
本発明は通気機構付きのドアに関する。本発明は例えばトイレ室、勉強部屋、寝室、客室、居間、業務室、オーディオ室、コンピュータ室等といった遮音性を特に要請される家庭用、業務用の各ドアに適用できる。
【背景技術】
【０００２】
ホルムアルデヒド等の有害物質による室内におけるシックハウス症候群が話題となっている。そして近年（２００３年７月）、室内におけるシックハウス症候群に対応するため建築基準法が改正され、換気設備による室内の換気性を確保すること、あるいは、ドアにおいて所定の有効開口面積を確保すること（非特許文献１参照）が要請されている。
【０００３】
従来、室内換気に関する技術として、特許文献１には、ドアのドア底面に可動式の遮音部材を設け、ドアの閉鎖時に、遮音部材を可動させてドア底面と床面との間の隙間を閉鎖すると共に、遮音部材の付近の通気孔より通気性を確保することが記載されている。
【特許文献１】特開平８−２８４５４６号公報
【非特許文献１】国土交通省住宅局建築指導課，国土交通省住宅局住宅生産課，国土交通省国土技術政策総合研究所，独立行政法人建築研究所，日本建築行政会議，シックハウス対策マニュアル編集委員会、「改正建築基準法に対応した建築物のシックハウス対策マニュアル−建築基準法・住宅性能表示制度の解説及び設計施工マニュアル−」、第１版、工学図書株式会社、平成１５年５月１日、ｐ．２１１
【発明の開示】
【発明が解決しようとする課題】
【０００４】
上記した特許文献１に係る従来技術によれば、ドア底面付近における通気性が確保されるものの、室内におけるシックハウス症候群に対応する建築基準法に適応するためには、限界がある。
【０００５】
本発明は上記した実情に鑑みてなされたものであり、ドアの通気性を確保して建築基準法に良好に適応することができるドアを提供することを課題とするにある。
【課題を解決するための手段】
【０００６】
第１発明に係るドアは、一方の空間に対面する第１ドア表面と他方の空間に対面する第２ドア表面とドア底面と前記ドア底面に背向するドア上面とを有するドア本体を備えたドアにおいて、前記ドア本体は、前記一方の空間と前記他方の空間とを連通する通気孔を有しており、前記第１ドア表面及び前記第２ドア表面のうち少なくとも一方において、前記通気孔の入口又は出口を構成する少なくとも２個の開口を有することを特徴とするものである。
【０００７】
第１発明に係るドアによれば、ドア本体は、第１ドア表面及び第２ドア表面のうちの少なくとも一方において、通気孔の入口又は出口を構成する少なくとも２個の開口を有するため、ドアの有効開口面積を確保することができ、ドアの通気性を確保して建築基準法に良好に適応することができる。
【０００８】
第２発明に係るドアは、一方の空間に対面する第１ドア表面と他方の空間に対面する第２ドア表面とドア底面と前記ドア底面に背向するドア上面とを有するドア本体を備えたドアにおいて、前記ドア本体は、前記一方の空間と前記他方の空間とを連通する通気孔を有しており、前記第１ドア表面は、前記通気孔の入口又は出口を構成する第１開口を有しており、前記第２ドア表面は、前記通気孔の出口又は入口を構成する第２開口を有しており、前記第１開口及び前記第２開口のうちの一方は複数個設けられており、前記第１開口及び前記第２開口のうちの他方は当該一方に共通して連通する共通開口であることを特徴とするものである。
【０００９】
第２発明に係るドアによれば、第１開口及び第２開口のうちの一方は複数個設けられているため、ドアの有効開口面積を確保することができ、ドアの通気性を確保して建築基準法に良好に適応することができる。
【００１０】
第３発明に係るドアは、一方の空間に対面する第１ドア表面と他方の空間に対面する第２ドア表面とドア底面と前記ドア底面に背向するドア上面とを有するドア本体を備えたドアにおいて、前記ドア本体は、前記一方の空間と前記他方の空間とを連通する通気孔を有しており、前記一方の空間及び前記他方の空間のうちのいずれかの空間に連通すると共に前記通気孔の入口又は出口を構成する少なくとも２個の開口を有していることを特徴とするものである。
【００１１】
第３発明に係るドアによれば、ドアの有効開口面積を確保することができ、ドアの通気性を確保して建築基準法に良好に適応することができる。
【発明の効果】
【００１２】
本発明に係るドアによれば、ドア本体の通気孔の入口又は出口を構成する複数の開口が設けられているため、ドアの内外の通気性が確保され、室内の空気の換気に貢献することができ、改正された建築基準法に良好に適応することができる。
【発明を実施するための最良の形態】
【００１３】
本発明に係るドアによれば、ドア本体は、一方の空間に対面する第１ドア表面と、他方の空間に対面する第２ドア表面と、ドア底面と、ドア底面に背向するドア上面とを有する。ドア本体の正面形状は、一般的には四角形状であるが、必ずしもこれに限定されるものではなく、正面形状でドア上面等が円弧を帯びていても良い。開口の投影形状としては、スリット形状、丸穴形状、角穴形状等を例示できる。本発明に係るドアによれば、ドア底面は、通気孔に連通すると共に通気孔の入口又は出口を構成する底面開口を有している実施形態を採用できる。
【００１４】
本発明に係るドアによれば、ドア本体の通気孔は、開口に連通する空洞室を有している実施形態を採用することができる。ドア本体は、開口の流路断面積よりも大きな流路断面積をもつ空洞室を有している実施形態を採用することができる。通気孔は、開口の流路断面積よりも大きな流路断面積をもつと共に開口に連通する空洞室を有している実施形態を採用することができる。空洞室は大きな流路断面積を有する空洞状をなすため、消音性が確保され、ドアを介しての音の伝播性が抑制される。通気孔の内壁面は、ドア本体の内部に設けられた吸音材料で形成された吸音材で覆われている実施形態を採用することができる。吸音材としては、発泡スチレン、発泡ウレタン層等の発泡塊体、発泡ビーズ等の粒体の集合体、ガラス繊維等の繊維の集合体、布、メッシュ等のうちの少なくとも１種を採用できる。
【００１５】
本発明に係るドアによれば、ドア本体は、ドア底面とドア底面に対向する対向面との間の隙間をドア本体の閉鎖につれて閉鎖する閉鎖量を増加させ、隙間を介しての音の伝搬を抑えるドア底面遮音手段が設けられている形態を例示することができる。ドア底面遮音手段は、ドア底面と対向面との間の隙間の開口量を調整可能な遮音部材と、遮音部材を作動させる作動部とを備えており、ドア本体（ドア）の閉鎖に伴い、作動部は遮音部材を対向面に接触又は接近させる遮音位置に切り替えると共に、ドア本体（ドア）の開放に伴い、作動部は遮音部材を対向面から遠ざけて退避させる退避位置に切り替える形態を例示することができる。
【実施例１】
【００１６】
以下、遮音性を高めた遮音ドアに本発明を適用した実施例１について図１〜図８を参照して具体的に説明する。図１は遮音ドア１の正面図を示す。図２は遮音ドア１の第１ドア表面１ａの下部領域付近の拡大正面図を示す。図３は遮音ドア１の第２ドア表面１ｂの下部領域付近の拡大正面図を示す。図１に示すように、本実施例に係る遮音ドア１はトイレ室、寝室等のように遮音性の要請が高い室の出入口を開閉するためのものであり、ドア本体１ｄは、開閉操作要素として機能するノブ１ｘと、短辺である直状のドア底面１ｃと、短辺である直状のドア上面１ｕとを有する。遮音ドア１の外側にはドア枠１８が設けられている。ドア枠１８は、ドア上面１ｕに対面する上枠１８ａと、互いに対向する側枠１８ｂ、１８ｃと、ドア底面１ｃに対面する下枠１８ｄとを有する。下枠１８ｄの上面は床面Ｆと同一高さとされている。遮音ドア１は側枠１８ｃの枢支具１ｒを介して開閉回動操作可能にドア枠１８に取り付けられている。遮音ドア１の摩擦抵抗を低減させて開閉回動操作性を確保すべく、ドア底面１ｃと床面Ｆとの間には隙間ＦＡ（図１参照）が形成される。
【００１７】
図４に示すように、遮音ドア１においては、外面側には、外観意匠性を高めるとともに遮音性を有する化粧板１０が互いに対向するように配置されており、互いに背向する第１ドア表面１ａ、第２ドア表面１ｂを形成している。なお、第１ドア表面１ａは一方の室Ｋ１に対面する。遮音ドア１の他方のドア表面１ｂは他方の室Ｋ２に対面する。
【００１８】
各化粧板１０の内側に、吸音材料で形成された吸音材１３が埋設されている。吸音材１３は、軽量化、遮音性、コスト等を考慮して、気泡を有する多孔質体である発泡ウレタン、発泡スチレン等の発泡塊体で構成されている。上記のような構成が採用されているため、本実施例の遮音ドア１は遮音性に優れている。
【００１９】
図４は遮音ドア１のドア底面１ｃ付近をこれの厚み方向に沿って切断した断面図を示す。図４に示すように、床面Ｆ（下枠１８ｄ）は遮音ドア１のドア底面１ｃに対向するため、床面Ｆ（下枠１８ｄ）は対向面として機能できる。床面Ｆ及び下枠１８ｄは平坦で同一高さとされており、障害物となり得る段差が形成されていないバリヤ・フリー構造とされている。
【００２０】
遮音ドア１は、ドア本体１ｄの下部領域に設けられ一方の室Ｋ１と他方の室Ｋ２とを連通する通気孔２０を有する。ドア本体１ｄ（第１ドア表面１ａ及び第２ドア表面１ｂ）の下部領域とは、ドア底面１ｃとドア上面１ｕとの間の長さをＨとしたとき、ドア底面１ｃから上方に向けてＨ／３の範囲内に存在することを意味する。Ｈ／４の範囲内またはＨ／５の範囲内とすることもできる。室Ｋ１としては、トイレ室、勉強部屋、寝室、客室、居間、業務室、オーディオ室、コンピュータ室等といった遮音性を特に要請される室とすることができ、室Ｋ２としては廊下等といった遮音性を特に要請されない室とすることができる。
【００２１】
あるいは、室Ｋ２を、トイレ室、勉強部屋、寝室、客室、居間、業務室、オーディオ室、コンピュータ室等といった遮音性を特に要請される室とし、室Ｋ１としては廊下等といった遮音性を特に要請されない室とすることもできる。
【００２２】
通気孔２０は、第１ドア表面１ａのうち下部領域付近で開口する１個の第１開口２１と、第２ドア表面１ｂのうち下部領域付近で開口する複数個（２個）の第２開口２２（２２ａ，２２ｂ）と、ドア底面１ｃで開口する底面開口２４と、第１開口２１、第２開口２２及び底面開口２４に連通する連通路２５とを備えている。第１開口２１は第１ドア表面１ａで開口する唯一のものとすることができる。第１開口２１の開口幅Ｌ１は、第２開口２２ａの開口幅Ｌ２ａ、第２開口２２ｂの開口幅Ｌ２ｂよりも大きい。
【００２３】
底面開口２４はドア本体１ｄのドア底面１ｃに形成されているため、通常の状態では人は底面開口２４を視認することができず、遮音ドア１の外観意匠に影響を与えない。第１開口２１は複数個の第２開口２２（２２ａ，２２ｂ）及び底面開口２４に共通して連通しており、共通開口とされている。
【００２４】
図１及び図２に示すように、第１開口２１は、第１ドア表面１ａで開口しつつ、ドア幅方向（矢印Ｄ方向）に沿って細長くスリット状に延設されている。連通路２５もドア幅方向（矢印Ｄ方向）に沿って細長くスリット状に延設されている（図５参照）。図３に示すように、第２開口２２（２２ａ，２２ｂ）も第１開口２１と同様にドア幅方向（矢印Ｄ方向）に沿って細長くスリット状に延設されており、第２開口２２（２２ａ，２２ｂ）の長さは第１開口２１の長さと同程度とされている。図２及び図４に示すように、第１開口２１には外観意匠を向上させる第１化粧体３１ａが配置されている。図３及び図４に示すように、第２開口２２（２２ａ，２２ｂ）には外観意匠を向上させる第２化粧体３２（３２ａ，３２ｂ）が配置されている。
【００２５】
上記したように第１開口２１及び第２開口２２（２２ａ，２２ｂ）は、ドア幅方向（矢印Ｄ方向）に沿って細長くスリット状に延設されている。更に連通路２５もドア幅方向（矢印Ｄ方向）に沿って延設されている。このため外観意匠の自由度の確保、遮音ドア１による遮音性能の確保を図りつつ、遮音ドア１の有効開口面積を増加させ、単位時間当たりの通気量を増加させることができる。図４に示すように、第１開口２１の中心１０１の高さは第２開口２２（２２ａ，２２ｂ）の中心１０２ａ，１０２ｂの高さとずれているため、光又は音が第１開口２１及び第２開口２２（２２ａ，２２ｂ）を経てストレートに透過又は伝播することを抑えることができ、遮光性及び遮音性を高めることができる。
【００２６】
連通路２５は、第２開口２２ａに繋がる分岐通路２５ａと，第２開口２２ｂに繋がる分岐通路２５ｂと，底面開口２４に繋がる分岐通路２５ｃと、主連通路２５ｄとを併有しているため、遮音ドア１の内外を連通する通気性を確保することができる。更に、分岐通路２５ａ，２５ｂ，２５ｃは主連通路２５ｄに対して方向が異なるため、光又は音が第１開口２１及び第２開口２２（２２ａ，２２ｂ）を経てストレートに透過又は伝播することを抑えることができ、遮光性及び遮音性を高めることができる。
【００２７】
図４に示すように、連通路２５は、吸音材料で形成された吸音材１３の内部に形成されている。このため連通路２５は吸音材１３で覆われており、吸音材１３に直接対面している。これにより連通路２５を介しての音伝搬が一層効果的に減衰される。
【００２８】
本実施例においては、図５に示すように遮音ドア１のドア底面１ｃには、搭載部品として機能する枠体５が固定されている。枠体５は、遮音ドア１のドア幅方向（矢印Ｄ方向）に沿って延設されるとともに、アルミ等の金属や硬質樹脂などの材料で形成されており、遮音ドア１の底部付近を補強する機能と、後述する遮音部材６０を退避させて収容する機能とを有する。図８に示すように、枠体５は、断面コの字形状をなしており、互いに対面する２個の立壁５０と、立壁５０同士をつなぐ横壁５１とを有し、下面が開放されている。これら立壁５０と横壁５１との区画により、枠体５には収容室５３が形成されている。
【００２９】
図５及び図８に示すように、遮音ドア１のドア底面１ｃ付近にはドア底面遮音手段６が搭載されている。ドア底面遮音手段６は、遮音ドア１のドア幅方向（矢印Ｄ方向）に沿って延設された搭載部品として機能する可動式の遮音部材６０と、遮音ドア１の開閉に伴い遮音部材６０を自動的に昇降させるための作動部としての作動機構６２とを備えている。遮音部材６０は、ゴムや軟質樹脂などのように遮音性を有する材質で形成されており、遮音ドア１の底部に固定された枠体５の収容室５３内に配置されている。作動機構６２は、遮音ドア１の幅方向における両端の下部領域付近にそれぞれ設けられている。
【００３０】
図７及び図８に示すように、作動機構６２は、遮音部材６０に一体的に保持された複数個の持ち上げピン６３と、持ち上げピン６３の頭部６３ｃと遮音部材６０との間に介装された付勢要素として機能する引張バネであるコイル状の持ち上げバネ６４と、ドア幅方向である矢印Ｄ１、Ｄ２方向に移動可能な横型ピン状の作動子６５と、作動子６５を矢印Ｄ２方向に付勢しこれの鍔部６５ｃを遮音ドア１の端板１ｍに当接させる付勢要素として機能する圧縮バネであるコイル状の付勢バネ６６と、遮音部材６０に一体に固定された押圧突部６７と、押圧突部６７と作動子６５との間に配置された作動力方向変換部材として機能する球体６８とを備えている。付勢バネ６６の付勢力により作動子６５の頭部６５ａが突出方向（矢印Ｄ２方向）に付勢されて遮音ドア１の端板１ｍよりも外方に突出している。遮音ドア１が開いている際には、持ち上げバネ６４の付勢力により、遮音部材６０は持ち上げ方向（矢印Ｃ２方向）に持ち上げられており、床面Ｆから遠ざかる退避位置ＨＡに切り替えられている。従って持ち上げバネ６４は遮音部材６０を床面Ｆから退避させる退避手段として機能する。
【００３１】
図６から理解できるように、遮音ドア１が矢印Ｆ１方向に回動して遮音ドア１が閉鎖されるとき、遮音ドア１を取り付けたドア枠１８の部位１８ｘにより作動子６５の頭部６５ａが退避方向（矢印Ｄ１方向）に押込み操作される。このように作動子６５が矢印Ｄ１方向に押圧操作されると、図７から理解できるように、作動子６５の傾斜面６５ｍにより球体６８が下方に押され、押圧突部６７が下方（矢印Ｃ１方向）に移動し、これにより遮音部材６０が同方向に移動し、遮音部材６０の先端６０ｒが床面Ｆに接触又は接近する。この結果、遮音部材６０が遮音位置ＨＢに切り替えられる。この場合にはドア底面１ｃと床面Ｆとの隙間ＦＡを遮音部材６０が閉鎖するため、遮音性が一層高まる。
【００３２】
一方、遮音ドア１が矢印Ｆ２方向（図６参照）に回動して開放されるとき、ドア枠１８の部位１８ｘが作動子６５の頭部６５ａを押込み操作することが解除される。このため付勢バネ６６により作動子６５が突出方向（矢印Ｄ２方向）に付勢され、作動子６５の鍔部６５ｃが端板１ｍに当接する位置まで作動子６５が自動的に復帰する。このため持ち上げバネ６４の付勢力により遮音部材６０は退避方向（矢印Ｃ２方向）に自動的に持ち上げられ、退避位置ＨＡとなり、ドア底面１ｃと床面Ｆとの隙間幅が増加する。このように遮音部材６０が床面Ｆから浮上すれば、遮音部材６０と床面Ｆとの摩擦が低減又は回避され、遮音ドア１の動きを遮音部材６０が邪魔することを抑え得、遮音ドア１の回動操作が円滑となる。なお、前記した作動子６５、球体６８、押圧突部６７は、遮音部材６０を降ろして閉鎖させるために付加される外力の方向を変換する作動力方向変換機構を構成している。
【００３３】
以上の説明から理解できるように本実施例によれば、図４に示すように、遮音ドア１の下部領域に設けられている通気孔２０は、第１ドア表面１ａで開口する第１開口２１と、第２ドア表面１ｂで開口する複数個（２個）の第２開口２２（２２ａ，２２ｂ）と、ドア底面１ｃで開口する底面開口２４と、第１開口２１、第２開口２２（２２ａ，２２ｂ）及び底面開口２４に連通する連通路２５とを備えている。このように複数個の第２開口２２（２２ａ，２２ｂ）及び底面開口２４が設けられているため、遮音ドア１における有効開口面積を増加させることができ、遮音ドア１の下部領域における通気性が確保され、シックハウス症候群に対応する改正建築基準法にも良好に対処することができる。
【００３４】
上記したように第１開口２１、第２開口２２（２２ａ，２２ｂ）及び底面開口２４は、ドア幅方向（矢印Ｄ方向）に沿って細長くスリット状に延設されている。更に連通路２５もドア幅方向（矢印Ｄ方向）に沿って細長く延設されている。このため外観意匠の自由度の確保、遮音ドア１による遮音性能の確保を図りつつ、遮音ドア１の有効開口面積を増加させ、単位時間当たりの通気量を増加させることができる。
【００３５】
また本実施例によれば、遮音ドア１が閉鎖されているとき、遮音部材６０が床面Ｆ（下枠１８ｄ）に接触又は接近し、遮音部材６０が遮音位置ＨＢに切り替えられている。この結果、遮音ドア１による遮音性を一層高めることができ、音伝搬による不快感の低減に貢献することができる。一方、遮音ドア１が回動されて開放されるとき、持ち上げバネ６４の付勢力により遮音部材６０は自動的に持ち上げられて退避位置ＨＡとなり、ドア底面１ｃと床面Ｆ（下枠１８ｄ）との隙間幅が増加するため、遮音ドア１の開放作動性を確保することができる。
【実施例２】
【００３６】
図９及び図１０は実施例２を示す。実施例２は実施例１と基本的には同様の構成、作用効果を有する。以下、実施例１と異なる部位を中心として説明する。共通する部位には共通の符号を付する。本実施例によれば、図９に示すように、通気孔２０は、第１ドア表面１ａのうち下部領域付近で開口する複数個（２個）の第１開口２１（２１ａ，２１ｂ）と、第２ドア表面１ｂのうち下部領域付近で開口する複数個（２個）の第２開口２２（２２ａ，２２ｂ）と、ドア底面１ｃで開口する底面開口２４と、第１開口２１（２１ａ，２１ｂ）、第２開口２２（２２ａ，２２ｂ）及び底面開口２４を互いに連通する連通路２５とを備えている。第１開口２１（２１ａ，２１ｂ）には外観意匠を向上させる第１化粧体３１（３１ａ，３１ｂ）が配置されている。第２開口２２（２２ａ，２２ｂ）には外観意匠を向上させる第２化粧体３２（３２ａ，３２ｂ）が配置されている。
【００３７】
本実施例によれば、第１ドア表面１ａに複数の第１開口２１（２１ａ，２１ｂ）、第２ドア表面１ｂに複数の第２開口２２（２２ａ，２２ｂ）及びドア底面１ｃに底面開口２４が設けられているため、遮音ドア１における有効開口面積を増加させることができ、遮音ドア１の下部領域における通気性が確保され、シックハウス症候群に対応する改正建築基準法にも良好に対処することができる。
【００３８】
更に本実施例によれば、図９に示すように、連通路２５は、第１開口２１（２１ａ，２１ｂ），第２開口２２（２２ａ，２２ｂ）に直接的に連通する空洞室２８を有する。空洞室２８は内壁面２８ａ，２８ｂ，２８ｃ，２８ｄをもつ。図１０に示すように、空洞室２８は遮音ドア１の幅方向に沿って延設されている。図９に示すように、空洞室２８の流路断面積は第１開口２１（２１ａ，２１ｂ），第２開口２２（２２ａ，２２ｂ）の流路断面積よりもかなり大きく設定されており、空洞室２８の容積は大きくされている。即ち、空洞室２８は大きな流路断面積を有する空洞状をなす。具体的には、第１開口２１ａの流路幅（空気が流れ得る流路の幅寸法）をＬ１ｗとしたとき、空洞室２８における平均流路幅Ｌ２ｗは、一般的には、Ｌ１ｗ×（１．３〜１０）、殊に、Ｌ１ｗ×（１．５〜６）とすることができる。
【００３９】
上記したように空洞室２８は空洞容積が大きいため、音が第１開口２１（２１ａ，２１ｂ）から空洞室２８に進入するとき、あるいは、音が第２開口２２（２２ａ，２２ｂ）または底面開口２４から空洞室２８に進入するとき、膨張に基づく消音効果を期待することができる。更に空洞室２８は吸音材料で形成された吸音材１３で覆われているため、空洞室２８を介しての音伝搬が一層効果的に減衰される。
【００４０】
更に図９に示すように、第１開口２１（２１ａ，２１ｂ）の中心１０１ａ，１０１ｂの高さは、第２開口２２（２２ａ，２２ｂ）の中心１０２ａ，１０２ｂの高さとずれているため、光又は音が第１開口２１及び第２開口２２を経てストレートに透過又は伝播することを抑えることができ、遮光性及び遮音性を高めることができる。
【実施例３】
【００４１】
図１１は実施例３を示す。実施例３は実施例２と基本的には同様の構成、作用効果を有する。以下、実施例２と異なる部位を中心として説明する。共通する部位には共通の符号を付する。本実施例によれば、図１１に示すように、ドア本体１ｄの連通路２５は、第１開口２１（２１ａ，２１ｂ），第２開口２２（２２ａ，２２ｂ）に連通する空洞室２８を有する。空洞室２８の流路断面積は開口２１，２２の流路断面積よりも大きく設定されており、空洞室２８の容積は大きくされている。空洞室２８は、透孔２９ａをもつ仕切部材２９で第１空洞室２８ｆと第２空洞室２８ｓとに分割されている。即ち空洞室２８は透孔２９ａをもつ仕切部材２９で複数の分割空洞室２８ｆ，２８ｓに分割されている。これにより光又は音がストレートに透過又は伝播することを抑えることができ、遮音性及び遮光性を高めることができる。なお透孔２９ａの中心線１１０の高さは、第１開口２１（２１ａ，２１ｂ）の中心線１０１ａ，１０１ｂ，第２開口２２（２２ａ，２２ｂ）の中心線１０２ａ，１０２ｂの高さとずれているため、音がストレートに伝播したり光がストレートに透過したりしないようになっている。
【実施例４】
【００４２】
図１２は実施例４を示す。実施例４は実施例１と基本的には同様の構成、作用効果を有する。以下、実施例１と異なる部位を中心として説明する。共通する部位には共通の符号を付する。本実施例によれば、図１２に示すように、通気孔２０は、第１ドア表面１ａのうち下部領域付近で開口する複数個（２個）の第１開口２１（２１ａ，２１ｂ）と、第２ドア表面１ｂのうち下部領域付近で開口する複数個（２個）の第２開口２２（２２ａ，２２ｂ）と、高さが相対的に高い側の第１開口２１ａ及び高さが相対的に高い側の第２開口２２ａを連通する連通路２５と、高さが相対的に低い側の第１開口２１ｂ及び高さが相対的に低い側の第２開口２２ｂを連通する連通路２６とを備えている。
【００４３】
第１開口２１（２１ａ，２１ｂ）は、第１ドア表面１ａで開口しつつ、ドア幅方向（矢印Ｄ方向）に沿って細長くスリット状に延設されている。第２開口２２（２２ａ，２２ｂ）も第１開口２１（２１ａ，２１ｂ）と同様にドア幅方向（矢印Ｄ方向）に沿って細長くスリット状に延設されており、第２開口２２の長さ（２２ａ，２２ｂ）は第１開口２１の長さ（２１ａ，２１ｂ）と同程度とされている。連通路２５，２６もドア幅方向（矢印Ｄ方向）に沿って細長くスリット状に延設されている。第１開口２１ａの軸心１０１ａの高さは第２開口２２ａの軸心１０２ｂの高さとずれている。また第１開口２１ｂの軸心１０１ａの高さは第２開口２２ｂの軸心１０２ｂの高さとずれているため、光又は音がストレートに透過又は伝播することを抑えることができ、遮光性及び遮音性を高めることができる。
【実施例５】
【００４４】
図１３は実施例５を示す。実施例５は実施例１と基本的には同様の構成、作用効果を有する。以下、実施例１と異なる部位を中心として説明する。共通する部位には共通の符号を付する。本実施例によれば、図１３に示すように、通気孔２０は、第１ドア表面１ａのうち下部領域付近で開口する第１開口２１と、第２ドア表面１ｂのうち下部領域付近で開口する第２開口２２と、ドア底面１ｃで開口する底面開口２４と、第１開口２１、第２開口２２及び底面開口２４に連通する連通路２５とを備えている。このように室Ｋ２に連通するように第２開口２２及び底面開口２４が設けられているため、遮音ドア１における有効開口面積を増加させることができ、遮音ドア１における通気性が確保され、シックハウス症候群に対応する改正建築基準法にも良好に対処することができる。
【００４５】
更に連通路２５は、第１開口２１，第２開口２２、底面開口２４に直接的に連通する空洞室２８を有する。空洞室２８は内壁面２８ａ，２８ｂ，２８ｃ，２８ｄをもつ。空洞室２８は遮音ドア１の幅方向に沿って延設されている。空洞室２８の流路断面積は第１開口２１，第２開口２２の流路断面積よりもかなり大きく設定されており、空洞室２８の容積は大きくされている。即ち、空洞室２８は大きな流路断面積を有する空洞状をなす。このように空洞室２８は空洞容積が大きいため、音が第１開口２１から空洞室２８に進入するとき、あるいは、音が第２開口２２から空洞室２８に進入するとき、膨張に基づく消音効果を期待することができ、遮音ドア１を介しての音の伝播性が抑制される。なお、第２開口２２が空洞室２８の上部に設けられているため、空洞室２８の上端２８ｕの高さを高くでき、また、底面開口２４が空洞室２８の底部側に設けられているため、空洞室２８の容積を大きくするのに貢献することができる。
【００４６】
（他の実施例）
上記した各実施例では、ドア本体１ｄのドア底面１ｃにドア底面遮音手段６が装備されているが、これに限らず、ドア底面遮音手段６が装備されていないドアに適用しても良い。ドア１はトイレ室、勉強部屋、寝室、客室、居間、業務室、オーディオ室、コンピュータ室等といった遮音性を特に要請される室のドアばかりではなく、他の室のドアにも適用できる。そのほか本発明は上記し且つ図面に示した実施例のみに限定されるものではなく、必要に応じて適宜変更して実施できるものである。
【図面の簡単な説明】
【００４７】
【図１】実施例１に係り、遮音ドアの正面図である。
【図２】実施例１に係り、遮音ドアの第１ドア表面の下部領域付近の拡大正面図である。
【図３】実施例１に係り、遮音ドアの第２ドア表面の下部領域付近の拡大正面図である。
【図４】実施例１に係り、遮音ドアの下部領域付近をドア肉厚方向に沿って切断した拡大断面図である。
【図５】実施例１に係り、遮音ドアのドア底面を示す斜視図である。
【図６】実施例１に係り、遮音ドアの底部付近をドア幅方向に沿って切断した断面図である。
【図７】実施例１に係り、遮音ドアの底部付近をドア表面方向に沿って切断した断面図である。
【図８】実施例１に係り、遮音ドアの底部付近をドア肉厚方向に沿って切断した断面図である。
【図９】実施例２に係り、遮音ドアの下部領域付近をドア肉厚方向に沿って切断した拡大断面図である。
【図１０】実施例２に係り、遮音ドアの第１ドア表面の下部領域付近の拡大正面図である。
【図１１】実施例３に係り、遮音ドアの下部領域付近をドア肉厚方向に沿って切断した断面図である。
【図１２】実施例４に係り、遮音ドアの下部領域付近をドア肉厚方向に沿って切断した断面図である。
【図１３】実施例５に係り、遮音ドアの下部領域付近をドア肉厚方向に沿って切断した断面図である。
【符号の説明】
【００４８】
図中、１は遮音ドア、１ａは第１ドア表面、１ｂは第２ドア表面、１ｃはドア底面、１８はドア枠、２０は通気孔、２１は第１開口、２２は第２開口、２４は底面開口、２５は連通路、２８は空洞室、６はドア底面遮音手段、６０は遮音部材、６２は作動機構（作動部）を示す。
【図１】
2005207107.tif 000003
【図２】
2005207107.tif 000004
【図３】
2005207107.tif 000005
【図４】
2005207107.tif 000006
【図５】
2005207107.tif 000007
【図６】
2005207107.tif 000008
【図７】
2005207107.tif 000009
【図８】
2005207107.tif 000010
【図９】
2005207107.tif 000011
【図１０】
2005207107.tif 000012
【図１１】
2005207107.tif 000013
【図１２】
2005207107.tif 000014
【図１３】
2005207107.tif 000015